(57)【要約】【課題】繊維がスイフトからドッファへ輸送される際の輸送効率を高めることができる手段を提供する。【解決手段】カードクロージングは、それぞれの突き出した端部（１１１）を備えた長手方向に配列された複数の歯（１１０）を有する形状ワイヤの帯状体を含んでいる。突き出した端部の下側の各歯のエッジ面（１１２）は、上記端部からエッジ面に沿う方向に離間された少なくとも１つのアンダーカットされたエッジ部（１１４）を含んでいる。このアンダーカットされたエッジ部は、カーディング時にエッジ面によって繊維の保持率を増加させる。【選択図】図２
2010100987.tif 000002
【特許請求の範囲】
【請求項１】
それぞれ突き出し端部（１１１）を備え長手方向に配置された複数の歯（１１０）を有する形状ワイヤの帯状体を含んでいるカードクロージングであって、
突き出し端部（１１１）の下側の各歯（１１０）のエッジ面（１１２）が、上記端部から該エッジ面に沿う方向に離間された少なくとも１つのアンダーカットされたエッジ部（１１４）を含み、アンダーカットされたエッジ部（１１４）がカーディング時に上記エッジ面（１１２）による繊維の保持率を増加させるようになっているカードクロージング。
【発明の詳細な説明】
【技術分野】
【０００１】
この発明は、一般的にはカードクロージング（針布）に関するものであり、とくに繊維のカーディング時におけるドッファ及びワーカへの繊維の輸送効率の向上策に関するものである。
【背景技術】
【０００２】
カーディングにおける決定的に重要な事柄は、主シリンダ又はスイフト（かせ枠車）からドッファへの繊維の輸送効率である。低い輸送効率は、順次、繊維の破損の増加とウエブ内におけるネップ発生率の増加により生産性を低下させる、スイフトまわりにおける繊維の過剰な循環を生じさせる。ウーステッド（梳毛糸）処理においては、この繊維の破損の増加は、梳かれたウール製品における平均繊維長の減少ないしはオーター（hauteur）を生じさせる。ドッファワイヤは、動作角が最適化されかつ歯のポイントが鋭くなることを確実化することにより、輸送効率を最大化させられるよう特別に設計され製作される。ワイヤの寿命は、製作時に適切な冶金及び熱処理を行うことにより最大化される。
【０００３】
カードのワーカはドッファと同様に機能するので、ここで説明される技術は、ドッファワイヤに関するものではあるが、ワーカワイヤにも同様に応用できるものである。
【０００４】
金属製クロージングについての開示は、特許文献１、特許文献２及び特許文献３中に見出されるであろう。特許文献１は、カーディング動作を改善するために、ネップを開かせるためのかぎ状の端部をもつように歯が形成されたカードワイヤを開示している。このかぎ状の端部は、歯の直線状の内側エッジに対して凸状となった下側部と平坦な頂部とを有している。ただし、対応する商品は、ワイヤの基部に対して傾斜している平坦又はほぼ平坦な下側部を有している。平坦な頂部は、繊維を偏らせる表面として機能し、歯の間の繊維を受け入れるのに役立つ全体の開口部を減少させるものと考えられる。特許文献２は、梳き用前側エッジに第２の端部を備えた梳き歯ないしはカーディング歯を開示している。
【０００５】
カーディングを応用するためのもう１つの既知のワイヤは、歯の両側に切られた長手方向の溝部を有している。このワイヤは、「のこぎり歯」ワイヤと呼ばれ、その目的は、繊維がピンから抜け出るのを防止する歯の側部にノッチを設けることによりすべりやすい繊維のドッフィング（離脱）を改善することである。本願出願人による実験によれば、たとえ溝部が比較的深い矩形の断面のものであっても、この目的のためには実際上制限された値となることが判明している。
【０００６】
図１は、左側に示されたスイフト４からドッファ６へ長い繊維８を輸送する際における連続的な段階を示している。繊維８の連続的な位置は、ａないしｇで示されている。矢印４ａ、６ａは、回転方向を示している。繊維は、一旦ドッファの歯７のまわりでループ状になると、この後、スイフトの非常に高い表面速度と歯の前方角とにより直線状とされ（位置ａ）、スイフト４の歯５によって引っ張り状態となる。ドッファ上の繊維が引っ張り状態にあれば、その位置は、繊維がドッファの表面に対して垂直となり、ドッファの歯が繊維を保持することができるようになる。実現される実際の角度は、繊維と各金属ワイヤとの間の摩擦係数の大きさに依存する。
【０００７】
ドッファワイヤの効率の前記解析は、繊維のピックアップ効率（取り出し効率）を高め、ピンからの繊維の損失効果を無視小とし、これは最終的に輸送効率のレベルを決定するであろう。平衡動作状態で動作しているドッファについては、ドッファに対する輸送効率が小さければ小さいほど、スイフト上で循環する繊維の層が厚くなり、ドッファによって保持される繊維上のスイフトの歯のグリップは小さくなる。順次、これは繊維内での張力を低減し、繊維がドッファによって保持される機会を増加させる。実際は、ドッファは、循環される繊維に依存してスイフトのピンのグリップを低減し、その結果スイフトからの輸送が起こるであろう。かくして、ドッファ効率は、ドッファワイヤの設計仕様及び処理されている繊維の特性についての動的な関数となる。
【先行技術文献】
【特許文献】
【０００８】
【特許文献１】米国特許第４９６４１９５号明細書
【特許文献２】米国特許第５５８１８４８号明細書
【特許文献３】米国特許第５７５５０１２号明細書
【発明の概要】
【発明が解決しようとする課題】
【０００９】
本発明の１つの目的は、少なくとも１つの応用場面では、繊維がスイフトからドッファへ輸送される際の輸送効率を高めることである。本発明はまた、ワーカがドッファと全く同様に動作することから、ワーカワイヤの設計にも応用することができる。
【課題を解決するための手段】
【００１０】
本発明は、本質的には、カード輸送ステージにおける締め具（take-up）部品上のカーディングワイヤの突き出している歯の前面又は内面に１つ又はこれより多いアンダーカット部（undercut）を形成することにより、高められた繊維の輸送効率が実現されることができるといった概念を伴っている。アンダーカット部又は各アンダーカット部は、好ましくは、ワイヤの長手方向（縦方向）と実質的に平行な部分、すなわちその上にワイヤがラップ（wrap）されている円柱構造の周面を含んでいる。
【００１１】
かくして、本発明は、それぞれ突き出し端部を備え長手方向に配置された複数の歯を有する形状ワイヤ（profile wire）の帯状体（strip）を含んでいるカードクロージング（針布）であって、突き出し端部の下側の各歯のエッジ面が、上記端部から該エッジ面に沿う方向に離間された少なくとも１つのアンダーカットされたエッジ部を含み、アンダーカットされたエッジ部がカーディング時に上記エッジ面による繊維の保持率を増加させるようになっているカードクロージングを提供する。
【００１２】
上記エッジ面に沿う方向に上記端部から離間されている上記エッジ部は複数存在するのが好ましい。
【００１３】
アンダーカットされたエッジ部又は各エッジ部は、少なくとも一部において、形状ワイヤの長手方向と実質的に平行な部分を含んでいるのが好ましい。この部分は、アンダーカットされたエッジ部の全部又は大部分を構成するのがより好ましい。
【００１４】
上記エッジ面に複数のアンダーカットされたエッジ部が存在し、かつこれらのエッジ部の間隔が歯の端部から離反する方向に増加するようになっているのが好ましい。
【００１５】
ある実施態様においては、各エッジ部の外側端部が、エッジ部が存在しないとした場合における上記エッジ面の位置に存在する。
【００１６】
１つの装置においては、アンダーカットされたエッジ部間にある上記エッジ面の後退部は、エッジ部が存在しないとした場合における上記エッジ面のに対しておおむね平行である。
【００１７】
もう１つの実施態様においては、アンダーカットされたエッジ部又は各エッジ部は、上記エッジ面のノッチ又はスカラップ凹部によって形成される。
【００１８】
本発明はまた、本発明にかかるカードクロージングを備えた、例えばドッファ又はワーカ等のカードロール、さらには１つ又はこれより多いロールを含んでいるカードを提供する。
【図面の簡単な説明】
【００１９】
【図１】スイフトからドッファへの繊維の輸送における連続的なステージを示す図であり、上記の「背景技術」の欄で参照される。
【図２】ドッファワイヤとして用いるのに適した、本発明の第１の実施の形態にかかる形状ワイヤの３つの隣り合う歯の拡大された図である。
【図３】図２に示された歯の１つの側面立面断面図である。
【図４】図３に示すものと代替的な実施の形態を示す図３と同様の図である。
【図５】図３に示すものと代替的な実施の形態を示す図３と同様の図である。
【図６】図３に示すものと代替的な実施の形態を示す図３と同様の図である。
【図７】図２に示す形態のドッファワイヤの性能を示すグラフである。
【図８】図３に示す形態のドッファワイヤの性能を示すグラフである。
【発明を実施するための形態】
【００２０】
（発明を実施するための最良の形態）
以下、本発明は、添付の図面を参照しつつ、単なる例示としてであるが、さらに詳しく説明されるであろう。
従来のドッファワイヤの歯は、全体的に突き出し形状を呈するように内側又は入り込み（re-entry）側に傾斜するエッジ面を有している。本発明の概念は、歯の内側又は入り込み側のエッジ面、すなわち突き出し部の下のエッジ面を可能な限りワイヤの基部（base）と平行にすることにより、ドッファワイヤの効率が大幅に高められることができるといった事実に由来する。この場合、一見したところでは、歯は、スイフトからドッファへの輸送の全過程で繊維上でのグリップ（grip）を改善するであろう、大幅に長くされ大幅に鈍角とされた要素として形成される。
【００２１】
しかしながら、この長い形状は最も実用的であるとはいえない。なぜなら、第１に、歯は細長すぎて十分な強度を備えないからであり、第２に、収集された糸を収容するのに必要な空間部を大幅に減少させるからである。本発明は、このような難点を伴っているが、１つ又はこれより多い、そして好ましくは複数の、好ましくは基部とワイヤの長手方向とに平行なアンダーカットされたエッジ部が、各歯の内側又は入り込み側のエッジ面に形成されるといった本質的な概念を維持する。この研究にかかる単純な実施の形態は、図２及び図３に示されている。図２は、ドッファワイヤとして使用するのに適した形状ワイヤの３つの歯を示し、ここでは各歯１１０の内側エッジ面は、パンチ加工されて、３つのステップ部１１４からなる小寸法の階段形状部と、後退部（backset portion）ないしは蹴上げ部１１８（riser）とを備えている。ステップ部１１４は、アンダーカットされたエッジ部を形成し、そしておおむね平坦であり、かつワイヤの基部１１３とワイヤの長手方向とに平行である。この階段形状部は、ドッフィングの決定的（臨界的）な段階、例えば図１中の位置ｃで、繊維が歯から滑り落ちる傾向に歯止めをかける。ステップ部１１４は、アンダーカット部が繊維を捕まえるかもしれないかぎ状体を形成しないようなステップ角度を備えたドッファそれ自体のストリッピング（stripping）を妨害しないであろうということが注目されるべきである。
【００２２】
図３中の矢印１２０は、ストリッピング移動の方向を示している（これに対して、矢印１２２は、スイフトによる繊維の全体的な引っ張り方向を示す）。しかしながら、ステップの角度の増加はワイヤの保持角度を増加させ、いくつかの特別な使用に対しては、この利点は、ストリッピングのより大きな難点を補って余りあるであろう。
【００２３】
端部１１１は、１１１ａで示されているように、頂部で頭を軽く切り取られている。各蹴上げ部１１８は、基部１１３と隣り合う１１２ａの部分では変化していない本来の傾斜エッジ面１１２に対して傾斜している。この場合、各ステップ部１１５の外側端部は、本来のエッジ面１１２の位置に残っている。蹴上げ部１１８は、基部１１３に対して直角であってもよいが、エッジ面１１２に対してこれより小さい角度であるのが好ましい。
【００２４】
図２及び図３に示された形状について考えられる１つの難点は、ステップ部間の鉛直部、すなわち蹴上げ部１１８が、スイフトからの繊維のピックアップに対する抵抗を増加させることである。これは、繊維を、より急峻に傾斜した蹴上げ部１１８の下に押し下げるのに必要な力が、普通の歯の場合より大きいからである。この難点を回避し、かつ繊維の障害のない収集を確実化するための、図４に示す修正された実施の形態２１０は、本来のエッジ面２１２と平行な蹴上げ部ないしは後退部２１８を有している。この装置においては、連続するアンダーカットされたエッジ部ないしはステップ部２１４が、端部２１１から離反する方向に、その間隔が増加しているのが好ましい。このようにしないと、歯の厚さは、端部に向かって大幅に近づき、その耐用期間（寿命）を短縮する可能性がある。内側のエッジ面の正確な形状は、注意深く設計することにより最適化されることができ、かつ本発明の概念の範囲内において多数の異なる形状がありうることはもちろん理解されるであろう。
【００２５】
もう１つの変形例では、ステップ部は、連続的に深く、すなわちワイヤの長手方向に広くなっていてもよい。
【００２６】
図４に示す形状は、ドッファによる繊維の収集と保持の両方を最大化するといった利点を有する。のこぎり状のワイヤ、摩滅による内面の粗面化又は粗粒子の堆積などの代替的な技術は、同様の利点の組み合わせを生じさせない。欠点は、繊維がピンに対して滑り落ちあるいは上がるのが困難であるので、繊維が、ドッファへの繊維のさらなる輸送を差し迫らせる（impend）ピンの端部に集まる傾向があることである。この欠点は、図３及び図４に示す形状により明らかに回避される。
【００２７】
図２〜図４に示された各実施の形態は、３つのステップ部１１４、２１４を有している。図５は、前側エッジ３１２が、パンチ加工され、鉛直な（すなわち、基部３１３の表面に垂直な）蹴上げ部３１８によって分離された複数（多数）の短い間隔で離間されたステップ部３１４を形成している、代替的な形態のもの３１０を示している。この形態は、繊維を捕らえるための複数（多数）のアンダーカット部を備えているが、およそ３つのステップ部でも十分であろう。ドッファ輸送ニップ（nip）での繊維密度は歯毎に１つくらいである。これは、ただ１つ又は２つのステップ部が必要であり、繊維密度は局所的には大きく変化することができることを示している。ある歯がただ１つ又は２つのステップ部３１４を有している場合、繊維は不十分な空間部のゆえに、保持されないであろう。
【００２８】
図６に、形状ワイヤの歯４１０のさらなる実施の形態が示されている。ここでは、アンダーカットされたエッジ部４１４は、内側エッジ面４１２に沿った、一連の打ち抜き加工されたノッチ（notch）ないしはスカラップ凹部４３０（scallop recess）で形成されている。図６に示されたノッチ４３０の一般的に半円状の形状は、便宜的に簡素化されたものであり、その他の多数の形状が可能であることが理解されるのはもちろんであろう。実質的に基部及びワイヤの長手方向に対して平行なあるいは水平であるアンダーカット部が一部に存在するのが好ましい。蹴上げ部４１８の角度はまた、繊維の効果的な収集を与えるために、最適化されることが必要である。
【００２９】
最初の実験によれば、本発明にかかるワイヤ形状の利点は、低いスイフト−ドッファ間の牽引（draft）、すなわち比較的高いドッファ速度で最も顕著であることが証明された。これは、高い回転速度では、繊維が、従来のドッファワイヤの歯から滑り落ちてスイフトに戻る一方、本発明にかかるアンダーカット部が繊維の保持を促進して、ローラ外へのストリップバックを低減する、すなわち輸送効率を高めるからである。図２及び図３にかかる形状を有するワイヤを用いた小規模な実験においては、輸送効率は、測定されたスイフト上の繊維の速い減衰速度により示されるように、従来の制御ワイヤのそれよりもおよそ２０％高いものと推定された。この効果は、図７中のグラフに示されている。
【００３０】
図８においても、対応するオーターの増加が観測され、スイフト上の低い保持と低減された繊維の破損とを示している。
【００３１】
本発明にかかるワイヤの高められた効率は、オーターの増加又は高められた生産速度を実現するために、２つの方法で用いられることができる。換言すれば、トップメーカー（topmaker）は、より長い毛糸又はより高い生産速度を実現することができる。
【００３２】
本発明から誘導される利点が得られるもう１つの方法は、ドッファの直径が従来の値よりも低減されることである。例えば、単一のドッファを備えたウーステッドカードでは、ドッファの直径は典型的には１０００ｍｍである。本発明にかかるドッファワイヤを採用することにより、該直径は３００ｍｍ程度低減されるであろうと考察される。ダブルドッファカードに対しても、直径は同様に低減されるであろう。
【００３３】
上記の論述は、主としてドッファに関連してなされているが、形状ワイヤの図示された実施の形態又はその他の適切な実施の形態はまた、ワーカ用の金属製クロージングにも用いられることができる。しかし、この場合は、採用されることが可能なその他のいくつかのオプションが存在するであろう。第１に、カードにはより多くのワーカが存在するので、カードを介しての繊維上でのグリップの広がりを類別するオプションがありうる。これは、例えば、始まりと終わりとを、新規なワイヤでラップされたワーカとすることにより、単純に実行されることができる。従来のワイヤと新規なワイヤとの種々の混用もまた可能である。
【００３４】
ワイヤの使用は、ウーステッドシステムに限定されるわけではない。不織布のカーディングにおいて、とくにネップ（節）が重要な問題であるかあるいは繊維の摩擦係数が非常に低い状況下で、例えばＰＴＦＥ（テフロン（登録商標））繊維のカーディングにおいてもまた使用されることができることが見出されている。本発明はまた、綿のカーディングにも応用されることができ、ここでは本発明は、ドッファローラの底部から繊維のかたまりの早すぎる排出を防止するために、自動的なドッファワイヤの先鋭化の実施をやめることができる。
【００３５】
本発明にかかる形状ワイヤは、実質的に従来の手段、例えば走行している最初は均一な形状のワイヤに打ち抜き加工を施すことにより製造されることができるであろう。
【００３６】
以下、本発明の好ましい態様を示す。
（態様１）
それぞれ突き出し端部を備え長手方向に配置された複数の歯を有する形状ワイヤの帯状体を含んでいるカードクロージングであって、
突き出し端部の下側の各歯のエッジ面が、上記端部から該エッジ面に沿う方向に離間された少なくとも１つのアンダーカットされたエッジ部を含み、アンダーカットされたエッジ部がカーディング時に上記エッジ面による繊維の保持率を増加させるようになっているカードクロージング。
（態様２）
上記端部から離間するとともに、上記エッジ面に沿う方向に各別に離間する複数の上記エッジ部が存在する、態様１に係るカードクロージング。
（態様３）
上記エッジ部が複数存在し、かつそれらの間隔が上記歯の端部から離反する方向に増加する、態様２に係るカードクロージング。
（態様４）
各エッジ部の外側端部が、該エッジ部が存在しないものとした場合における上記エッジ面の位置に存在する、態様１、２又は３に係るカードクロージング。
（態様５）
アンダーカットされたエッジ部間にある上記エッジ面の後退部が、該エッジ部が存在しないものとした場合における上記エッジ面とおおむね平行である、態様１、２又は３に係るカードクロージング。
（態様６）
アンダーカットされたエッジ部又は各エッジ部が、少なくとも、形状ワイヤの長手方向の伸びと実質的に平行である部分を含んでいる、前記態様のいずれかに係るカードクロージング。
（態様７）
上記部分が、アンダーカットされたエッジ部の全部又は大部分を構成する、態様６に係るカードクロージング。
（態様８）
アンダーカットされたエッジ部又は各エッジ部が、上記エッジ面のノッチ又はスカラップ凹部により形成される、前記態様のいずれかに係るカードクロージング。
（態様９）
前記態様のいずれかに係るカードクロージングを備えたカードロール。
（態様１０）
上記ロールがドッファである、態様９に係るカードロール。
（態様１１）
上記ロールがワーカである、態様９に係るカードロール。
（態様１２）
１つ又はこれより多い態様９、１０又は１１に係るロールを含んでいる繊維用カード。
（態様１２）
基部（１１３）と、それぞれ突き出し端部（１１１）と上記突き出し端部（１１１）の下側に位置する入り込み側のエッジ面とを備え長手方向に配置された複数の歯（１１０）とを有する形状ワイヤの帯状体を含んでいるカードクロージングであって、
各歯（１１０）の上記エッジ面が、上記突き出し端部（１１１）から上記エッジ面に沿う方向に離間された少なくとも１つのアンダーカットされたエッジ部（１１４）を含み、アンダーカットされた上記エッジ部が、少なくとも、上記形状ワイヤの長手方向の伸びと実質的に平行である部分を含み、これによりカーディング時に上記エッジ面による繊維の保持率を増加させるようになっていることを特徴とするカードクロージング。
【符号の説明】
【００３７】
１１０…歯、１１１…端部、１１２…エッジ面、１１３…基部、１１４…ステップ部、１１８…蹴上げ部、２１１…端部、２１２…エッジ面、２１４…ステップ部、２１８…蹴上げ部。
【図１】
2010100987.tif 000003
【図２】
2010100987.tif 000004
【図３】
2010100987.tif 000005
【図４】
2010100987.tif 000006
【図５】
2010100987.tif 000007
【図６】
2010100987.tif 000008
【図７】
2010100987.tif 000009
【図８】
2010100987.tif 000010